(57)【要約】【課題】ガイドによる位置決めが困難でなく、簡単な構成で記録位置の精度を上げることができる記録媒体および記録装置を提供する。【解決手段】記録媒体Ｌであって、記録媒体Ｌに記録を行う記録装置１００に備えられる前記記録媒体Ｌを支持するためのシートガイド３（支持手段）の支持面１１Ａに、前記記録媒体Ｌを所定の搬送方向にガイドするために設けられる線条のガイドアレイ部１２により、ガイドされる被ガイドアレイ部７を備えることを特徴とする。【選択図】図１
2010149478.tif 000002
【特許請求の範囲】
【請求項１】
基材の一方の面に設けられたインク受容層を備えた記録部と、前記基材の前記記録部の
視認側と反対側に設けられた被ガイドアレイ部と、を有した記録媒体。
【請求項２】
前記被ガイドアレイ部は、蒲鉾、逆蒲鉾、三角、凹、凸のいずれかの配列形状からなる
ことを特徴とする請求項１に記載の記録媒体。
【請求項３】
前記被ガイドアレイ部が有色であることを特徴とした請求項１または請求項２に記載の
記録媒体。
【請求項４】
記録媒体に対して記録を行う記録装置であって、前記記録媒体を支持する支持手段と、
前記支持手段に設けられ、請求項１から請求項３のいずれか一項に記載の記録媒体に備え
られる被ガイドアレイ部をガイドするガイドアレイ部と、
を有することを特徴とする記録装置。
【請求項５】
前記記録媒体を前記支持手段の支持面に対して押圧する押圧手段を備えることを特徴と
する請求項４に記載の記録装置。
【請求項６】
前記押圧手段は、前記記録媒体の搬送方向に向かって回転する回転ローラーであること
を特徴とする請求項５に記載の記録装置。
【発明の詳細な説明】
【技術分野】
【０００１】
本発明は、例えばインクジェットプリンターなどの記録装置とその記録媒体に関し、特
に記録位置精度向上に関する。
【背景技術】
【０００２】
記録媒体を搬送する印刷装置（記録装置）において、搬送時に記録媒体が蛇行したり傾
斜したりしてしまうと、小さな文字は擦れて見えてしまったり極細罫線は凸凹状となり直
線にみえなかったりしてしまう。そのため、高い記録位置精度が必要である。例えば、特
許文献１には、プリンター装置に対して、左右ガイドを設けることで、記録媒体の記録位
置精度を高める手段が開示されている。
【０００３】
【特許文献１】特開２００５−８２２６２号公報
【発明の開示】
【発明が解決しようとする課題】
【０００４】
しかしながら、特許文献１の手段において、普通紙や写真用紙のように形状が変化しや
すい記録媒体や、裁断面にバリがある記録媒体に対して、ガイドと記録媒体の間で隙間な
く双方の端方向を完全一致させることは難しい。
【課題を解決するための手段】
【０００５】
本発明は、上述の少なくとも一部を解決するように、以下の形態又は適用例として実現
される。
【０００６】
〔適用例１〕本適用例の記録媒体は、基材の一方の面に設けられたインク受容層を備え
た記録部と、前記基材の前記記録部の視認側と反対側に設けられた被ガイドアレイ部と、
を有することを特徴とする。
記録媒体をこのように構成することで、記録媒体が被ガイドアレイ部に沿って搬送され
るため、記録媒体の搬送方向を一定に維持することができ、記録媒体への記録位置の精度
が向上する。
【０００７】
〔適用例２〕また、上記適用例に記載の記録媒体であって、前記被ガイドアレイ部が、
蒲鉾、逆蒲鉾、三角、凹、凸のいずれかの配列形状からなってもよい。
記録媒体をこのように構成することで、ガイド状態をより確実に維持することができる
。
【０００８】
〔適用例３〕また、上記適用例に記載の記録媒体であって、前記被ガイドアレイ部が有
色であってもよい。
記録媒体をこのように構成することで、記録媒体の白色度や光沢感を向上できる。
【０００９】
〔適用例４〕本適用例の記録装置は、記録媒体に対して記録を行う記録装置であって、
前記記録媒体を支持する支持手段と、前記支持手段に設けられ、上記適用例に記載の記録
媒体に備えられる被ガイドアレイ部をガイドするガイドアレイ部とを有することを特徴と
する。
記録装置をこのように構成することで、記録媒体の搬送時の搬送方向を一定に維持する
ことができ、記録媒体への記録位置の精度を向上させることができる。
【００１０】
〔適用例５〕また、上記適用例に記載の記録装置であって、前記記録媒体を前記支持手
段の支持面に対して押圧する押圧手段を備えてもよい。
記録装置をこのように構成することで、押圧手段により記録装置のレンチキュラーの係
合部への係合が確実なものとなり、記録媒体の搬送方向の維持が確実なものとなり、記録
媒体への記録位置の精度をより向上させることができる。
【００１１】
〔適用例６〕また、上記適用例に記載の記録装置であって、前記押圧手段は、前記記録
媒体の搬送方向に向かって回転する回転ローラーであってもよい。
記録装置をこのように構成することで、回転ローラーが記録媒体の搬送方向に向かって
回転するため、記録媒体を搬送するための駆動力を小さくすることができる。
【発明を実施するための最良の形態】
【００１２】
（第１の実施の形態）
以下に、本発明の第１の実施の形態に係る記録媒体Ｌおよび記録装置１００について、
図１から図３を参照しながら説明する。
【００１３】
図１は、記録媒体Ｌが装填された状態の記録装置１００の概略の構成を示す概略構成図
であり、記録装置１００を後方から見た斜視図である。図２は、図１に示す部分Ｒの拡大
図である。なお、図１において、記録媒体Ｌが進行する方向である矢印Ｘの方向を前方（
前側）とし、この反対方向を後方（後側）とする。また、後方から前方に向かって右手方
向となる矢印Ｙの方向を右方（右側）とし、この反対方向である左手方向を左方（左側）
とする。そして、矢印Ｚの方向を上方（上側）とし、この反対方向を下方（下側）として
、以下の説明を行うこととする。図３は、記録媒体Ｌを被ガイドアレイ部７側からみた斜
視図である。
【００１４】
記録装置１００は、外装体である筐体２と、記録媒体Ｌを下側から支持する支持手段と
してのシートガイド３と、シートガイド３上に載置された記録媒体Ｌを後方から前方に向
けて搬送する押圧手段としての回転ローラーである給紙ローラー４および押圧手段として
の回転ローラーである排紙ローラー５と、記録媒体Ｌに対して記録を行う記録ヘッド６等
を有する。
【００１５】
記録媒体Ｌは、図３に示すように、基材としての樹脂又は金属シートの一方の面に被ガ
イドアレイ部７が形成され、他方の面に記録部としての画像形成層８が形成されている。
図中の被ガイドアレイ部７は、蒲鉾状の被ガイド１３をアレイ状に配置してある。被ガイ
ド１３は、シートの搬送方向にそって、シートの長さ分、線条に存在する。
【００１６】
なお、被ガイドアレイ部７は、被ガイド１３と後述するガイド１４とがお互いに噛み合
いさえすれば、蒲鉾状の形状の他に、逆蒲鉾、三角、凹、凸のいずれかの形状であっても
良い。さらに、被ガイドアレイ部７は、無色透明であっても、白色などの有色であっても
よい。例えば、白色の場合、記録媒体Ｌの白色感や光沢感を向上させたり、シルバー色の
場合、金属的な光沢感を出せたりできるようになる。
【００１７】
そして、画像形成層８は、インク受容層、インク吸収層、樹脂コート層、原紙層といっ
たように複数の層から構成されていても良い。また、記録媒体Ｌは、画像形成層８が存在
せず、樹脂又は金属シートの一方の面に被ガイドアレイ部７のみを形成した状態であって
もよい。その状態の場合、被ガイドアレイ部７の裏面に直接記録を行うことになる。
【００１８】
筐体２の後側の側面には、記録媒体Ｌを筐体２内に供給するための給紙開口部９が形成
され、また、前側の側面には、給紙開口部９の側から供給された記録媒体Ｌを排出する排
紙開口部１０が形成されている。給紙開口部９から記録装置１００に供給された記録媒体
Ｌは、給紙ローラー４および排紙ローラー５により前方に向かって搬送されると共に、記
録ヘッド６により記録が行われた後、排紙開口部１０から記録装置１００の外部に排出さ
れる。
【００１９】
シートガイド３は、給紙ローラー４と排紙ローラー５の下方に配設され、全体として矩
形の板状体を呈している。このシートガイド３は、前後方向が、給紙開口部９の後方に突
出した位置から排紙開口部１０と排紙ローラー５との間の位置に亘って備えられている。
また、左右の幅方向については、載置される記録媒体Ｌの全幅に亘って支持できる幅とな
っている。シートガイド３は、筐体２、または内部のフレーム等の構造体に対して図示を
省略する構成により取り付けられている。
【００２０】
シートガイド３は、樹脂から形成される板状体の基板１１と、ガイドアレイ部１２とを
備えている。ガイドアレイ部１２は、基板１１において記録媒体Ｌを支持する側の面であ
る支持面としての上面１１Ａに設けられていて、線条のガイド１４がアレイ状に形成され
ている。すなわち、記録媒体Ｌの被ガイド１３と同一形状のガイド１４が記録媒体Ｌの幅
よりも広い幅に亘って並設されている。ガイド１４の長手方向、すなわちガイド１４の母
線（稜線）方向は、記録媒体Ｌの所定の搬送方向、すなわち給紙ローラー４および排紙ロ
ーラー５に直交する方向に沿って形成されている。
【００２１】
本実施の形態では、シートガイド３のガイドアレイ部１２と、記録媒体Ｌの被ガイドア
レイ部７は、蒲鉾状アレイからなるレンチキュラーレンズシートを採用している。すなわ
ち、シートガイド３は、基板１１上に、蒲鉾状に形成された面側を上方に向けたレンチキ
ュラーレンズシートを貼りつける。一方、記録媒体Ｌは、画像形成層８にインクジェット
用の写真用紙を採用し、写真用紙の非印字面側に、レンチキュラーレンズシートの非蒲鉾
面側を貼りつける。このようにレンチキュラーレンズを採用すると、被ガイドアレイ部７
とガイドアレイ部１２が容易に設置することができる。
【００２２】
なお、基板１１を樹脂成形により形成する場合には、成形金型に予めガイドアレイ部１
２に対応する型面を形成して、ガイドアレイ部１２を基板１１と一体に成形するようにし
てもよい。このように基板１１にガイドアレイ部１２を一体に樹脂成形する場合には、基
板１１を形成する樹脂材をフッ素樹脂等の低摩擦の樹脂材とすることで、記録媒体Ｌとガ
イドアレイ部１２との摩擦を小さくすることができ、記録媒体Ｌの搬送をスムーズに行う
ことができる。また、基板１１を金属板により形成してもよい。この場合には、金属板を
切削加工や金型成形などによりガイドアレイ部１２を形成することができる。
【００２３】
また、画像形成層８が写真用紙の層構成のように、インク吸収層、樹脂層、原紙層、樹
脂層で構成されていた場合、下面の樹脂層が被ガイドアレイ部７を担っても良い。
【００２４】
記録ヘッド６の前後には、給紙ローラー４と排紙ローラー５が配設されている。給紙ロ
ーラー４と排紙ローラー５は、それぞれ給紙用モーター１６と排紙用モーター１７により
回転駆動され、シートガイド３の上に載置されている記録媒体Ｌを後方から前方に向けて
搬送する。
【００２５】
記録ヘッド６は、キャリッジ１８の下面に取り付けられ、本実施の形態では、インクを
吐出するインクジェット型の記録ヘッドとして構成されている。キャリッジ１８は、左右
方向に延設されるキャリッジガイド１９に移動可能に支持され、また、キャリッジ用モー
ター２０により駆動されるタイミングベルト２１に取り付けられている。このため、キャ
リッジ用モーター２０によりタイミングベルト２１を左右方向に回転駆動すると、キャリ
ッジ１８と共に記録ヘッド６が、キャリッジガイド１９に沿って左右方向に移動すること
ができる。
【００２６】
したがって、給紙ローラー４と排紙ローラー５による記録媒体Ｌの搬送方向である副走
査方向への搬送を制御すると共に、記録ヘッド６の移動方向である主走査方向、すなわち
左右方向への移動についても制御することで、記録ヘッド６を記録媒体Ｌの所定位置に移
動することができ、記録媒体Ｌの所望の位置に画像を記録することができる。なお、記録
媒体Ｌは、画像形成層８の側を記録ヘッド６に対向され、被ガイドアレイ部７の側がガイ
ドアレイ部１２に接触するようにシートガイド３に載置する。
【００２７】
上述したように構成される記録装置１００により記録媒体Ｌに対して記録を行う場合に
は、記録媒体Ｌを、被ガイドアレイ部７の側をシートガイド３のガイドアレイ部１２に向
けてシートガイド３の上に載置する。図２に示すように、シートガイド３上に載置された
記録媒体Ｌは、被ガイドアレイ部７を構成する被ガイド１３とガイド１４が互いに噛み合
い、記録媒体Ｌはガイドアレイ部１２により左右方向（主走査方向）の位置決めが行われ
た状態となる。また、ガイド１４は、その母線（稜線）方向が記録媒体Ｌの所定の搬送方
向である主走査方向に直交する方向に沿うように形成されている。したがって、記録媒体
Ｌが給紙ローラー４と排紙ローラー５によって搬送される際には、ガイドアレイ部１２に
より主走査方向に直交する方向にガイドされた状態で搬送される。つまり、シートガイド
３を、ガイド１４の母線（稜線）方向、すなわちガイドアレイ部１２のガイド方向を、記
録媒体Ｌの所定の搬送方向に沿うように配置することで、記録媒体Ｌは、搬送方向が一定
に維持された状態で搬送される。搬送方向が一定に維持された状態で記録媒体Ｌが搬送さ
れることで、記録ヘッド６による記録媒体Ｌへの記録を所定の位置に行うことができる。
【００２８】
給紙ローラー４とシートガイド３との間隔、および排紙ローラー５とシートガイド３と
の間隔は、これらのローラーから記録媒体Ｌに対して適度な押圧力を作用させることがで
きる間隔となっている。つまり、記録媒体Ｌをシートガイド３に対して押圧することで、
ガイドアレイ部１２と被ガイドアレイ部７との係合を確実なものとすることができ、記録
媒体Ｌを搬送する際の左右方向の搬送精度、すなわち記録媒体Ｌの搬送の直進性を向上さ
せることができる。
【００２９】
特に、例えば、記録媒体Ｌが上下方向に湾曲している場合には、被ガイドアレイ部７と
ガイドアレイ部１２との係合が外れ易い。そこで、湾曲した記録媒体Ｌがシートガイド３
から離れないように、給紙ローラー４および排紙ローラー５により記録媒体Ｌをシートガ
イド３に対して押圧することで、被ガイドアレイ部７とガイドアレイ部１２との係合状態
を保持することができる。一方、記録媒体Ｌをシートガイド３に対して強い力で押圧する
と記録媒体Ｌとシートガイド３との間の摩擦等の搬送負荷が大きくなり、記録媒体Ｌをス
ムーズに搬送することができなくなる。そこで、スムーズに記録媒体Ｌを搬送できるよう
に搬送負荷を考慮しながら、確実に被ガイドアレイ部７とガイドアレイ部１２との係合状
態を維持できるような適度な押圧力が作用するように給紙ローラー４とシートガイド３と
の間隔および排紙ローラー５とシートガイド３との間隔等を設定する。
【００３０】
例えば、本実施の形態では、給紙ローラー４および排紙ローラー５のローラー表面を、
弾性を有する肉厚のゴム材により被覆することで給紙ローラー４および排紙ローラー５の
表面を弾性変形可能に構成すると共に、給紙ローラー４とシートガイド３との間の間隔お
よび排紙ローラー５とシートガイド３との間の間隔を、記録媒体Ｌの厚さより狭く構成す
ることで、給紙ローラー４および排紙ローラー５が記録媒体Ｌをシートガイド３に押圧す
ることとしている。このように構成することで、記録媒体Ｌが給紙ローラー４および排紙
ローラー５とシートガイド３との間を通過する際に、給紙ローラー４および排紙ローラー
５の記録媒体Ｌとの接触部の表面が平らに弾性変形する。この弾性変形の反力により記録
媒体Ｌはシートガイド３に押圧された状態で、給紙ローラー４および排紙ローラー５の回
転により搬送されることになる。ゴム材の弾性や肉厚、さらに給紙ローラー４とシートガ
イド３との間の間隔および排紙ローラー５とシートガイド３との間の間隔を適切に設定す
ることで、記録媒体Ｌをスムーズに搬送することができるとともに、被ガイドアレイ部７
をガイドアレイ部１２に適度な押圧力で押圧することができる。
【００３１】
なお、上述のように給紙ローラー４および排紙ローラー５の表面を弾性変形可能に構成
した場合には、給紙ローラー４および排紙ローラー５とシートガイド３との間の間隔を、
いわゆるコピー用紙等の紙媒体を搬送することができる間隔に設定しながら、記録媒体Ｌ
については、上述の押圧力を作用させながら搬送させることができる。
【００３２】
コピー用紙等の紙媒体の厚さが０．１ｍｍ程度であるのに対し、記録媒体Ｌは、被ガイ
ドアレイ部７を形成する必要があるため、厚さが０．５ｍｍ程度と厚いものとなっている
。したがって、該間隔を、紙媒体を搬送できる狭い間隔に設定しておくことで、搬送対象
が紙媒体であるときはこの紙媒体を搬送することができる。一方、搬送対象が厚い記録媒
体Ｌであるときは、給紙ローラー４および排紙ローラー５の記録媒体Ｌとの接触部が弾性
変形し、記録媒体Ｌをシートガイド３にゴム材の弾性変形の反力で押圧した状態で搬送す
ることができる。
【００３３】
なお、給紙ローラー４および排紙ローラー５は、記録媒体Ｌの左右の幅よりも長いもの
とされている。そのため、記録媒体Ｌを広い範囲に亘って均一にガイドアレイ部１２に押
圧することができ、被ガイドアレイ部７とガイドアレイ部１２との係合状態をより確実な
ものとすることができる。
【００３４】
（第２の実施の形態）
次に、本発明の第２の実施の形態に係る記録装置２００について、図４を参照しながら
説明する。
【００３５】
図４は、記録装置２００の概略の構成を示す概略構成図であり、記録装置２００を後方
から見た斜視図である。なお、上述の第１の実施の形態で説明したのと同様の構成につい
ては、同一の符号を付すこととし、その説明を省略する。
【００３６】
第１の実施の形態に係る記録装置１００の給紙ローラー４および排紙ローラー５が、搬
送される記録媒体Ｌの上側に配設されているのに対し、本実施の形態に係る記録装置２０
０は、記録媒体Ｌを搬送するための給紙ローラー２２および排紙ローラー２３が、搬送さ
れる記録媒体Ｌの下側に位置するように配設されている。給紙ローラー２２の上側には、
給紙ローラー２２の回転に追従して回転する給紙側従動ローラー２４が左右方向に３つ備
えられ、また、排紙ローラー２３の上側にも、排紙ローラー２３の回転に追従して回転す
る排紙側従動ローラー２５が左右方向に３つ備えられている。つまり、記録媒体Ｌは、給
紙ローラー２２と給紙側従動ローラー２４との間、および排紙ローラー２３と排紙側従動
ローラー２５との間に挟まれて搬送される。
【００３７】
給紙ローラー２２の後方には、記録媒体Ｌをシートガイド２６に対して押圧するための
押圧手段としての回転ローラーである加重ローラー２７が備えられている。この加重ロー
ラー２７は、例えば、ステンレスや真鍮等の金属で形成され、記録媒体Ｌの左右方向の幅
よりも長いものとなっている。加重ローラー２７の左右の端面にはそれぞれ軸２８が備え
られている。
【００３８】
加重ローラー２７は、加重ローラー２７の左右方向に備えられる軸受部２９の軸受け孔
３０に、軸２８を介して回動自在に支持されている。軸受け孔３０は、上下方向に長い長
円形に形成されている。つまり、加重ローラー２７は軸受部２９に上下方向に変位可能に
支持されている。
【００３９】
加重ローラー２７の下側には、シートガイド２６が備えられている。シートガイド２６
は、上述の記録装置１００におけるシートガイド３が、その前端部を排紙ローラー５より
も前方に配置させているのに対し、シートガイド２６の前端部は、給紙ローラー２２より
も後方で、給紙ローラー２２と加重ローラー２７との間に位置されている点を除いて記録
装置１００のシートガイド３と同様の構成である。
【００４０】
加重ローラー２７の直径Ｍと、軸受け孔３０の下端部３１のシートガイド２６からの高
さＨとは、加重ローラー２７の軸２８が軸受け孔３０の下端部３１に支持されている状態
で、シートガイド２６と加重ローラー２７との間隔が、シートガイド２６に載置されてい
る記録媒体Ｌの上面とガイド１４の頂部との間の距離Ｔより狭くなるように設定されてい
る。そのため、加重ローラー２７とシートガイド２６との間に記録媒体Ｌを差し込むと、
加重ローラー２７は、記録媒体Ｌにより上方に持ち上げられた状態となる。したがって、
シートガイド２６上を搬送される記録媒体Ｌを、加重ローラー２７によりシートガイド２
６に対して押圧することができる。記録媒体Ｌが給紙ローラー２２および排紙ローラー２
３により前方に搬送される際には、記録媒体Ｌの搬送に追従して加重ローラー２７が軸２
８を中心に自転する。このため、記録媒体Ｌの搬送負荷の増加を抑えながら記録媒体Ｌを
シートガイド２６に対して押圧できる。また、記録媒体Ｌは加重ローラー２７に擦れるこ
となく搬送される。
【００４１】
以上のように構成される記録装置２００においては、記録装置１００と同様に、記録媒
体Ｌは、搬送方向がガイドアレイ部１２のガイド方向に沿って一定に維持された状態で搬
送されるため、記録ヘッド６による記録媒体Ｌへの記録を所定の位置に行うことができる
。また、加重ローラー２７が記録媒体Ｌをシートガイド２６に押圧することにより、被ガ
イドアレイ部７とガイドアレイ部１２との係合が確実なものとなり、記録媒体Ｌへの記録
位置の精度をより向上させることができる。
【００４２】
また、加重ローラー２７は、記録媒体Ｌの左右の幅よりも長いものとされているため、
記録媒体Ｌを広い範囲に亘って均一にガイドアレイ部１２に押圧することができ、被ガイ
ドアレイ部７とガイドアレイ部１２との係合状態をより確実なものとすることができる。
【００４３】
（第３の実施の形態）
次に、本発明の第３の実施の形態に係る記録装置３００について、図５を参照しながら
説明する。
【００４４】
図５は、記録装置３００の概略の構成を示す概略構成図であり、記録装置３００を後方
から見た斜視図である。なお、上述の第１の実施の形態および第２の実施の形態で説明し
たのと同様の構成については、同一の符号を付すこととし、その説明を省略する。
【００４５】
本実施の形態に係る記録装置３００は、記録媒体Ｌのシートガイド２６への押圧をシー
トフィーダー機構３２の紙押え３３を利用して行うものである。シートフィーダー機構３
２は、支持手段としての用紙スタッカー３４と、紙押え３３と、ピックアップローラー３
５等を備え、用紙スタッカー３４に重ねて載置される複数枚の用紙（図示省略）を、ピッ
クアップローラー３５により一枚ずつ引き出し給紙ローラー２２に送るように構成されて
いる。用紙スタッカー３４に載置されている用紙は、ピックアップローラー３５により取
り出される用紙を除いて、紙押え３３により前方へ滑り落ちないように止められている。
【００４６】
紙押え３３は、図５に示すように、左右方向に等間隔に３つ配設されるピックアップロ
ーラー３５の間に２つ備えられ、図示を省略する回動機構により、前端部３６を中心に上
下方向に回動可能に構成されている。紙押え３３は、シートフィーダー機構３２の使用時
、すなわち、用紙スタッカー３４に用紙（図示省略）が載置されている場合には、図５に
点線で示すように上方に回動した位置に配置される。そして、この位置では、紙押え３３
の後端面３７が用紙スタッカー３４の用紙載置面３８の上方に突出し、この後端面３７で
用紙スタッカー３４に載置されている用紙（図示省略）が前方へ滑り落ちることを阻止し
ている。
【００４７】
一方、用紙スタッカー３４に用紙（図示省略）が載置されていないとき、すなわちシー
トフィーダー機構３２の未使用時には、紙押え３３は、図５に実線で示すように下方に回
動したレンズシート押え位置に配置される。また、紙押え３３の下面はフェルトが貼られ
たフェルト面３９として構成されている。
【００４８】
紙押え３３は、レンズシート押え位置では、紙押え３３のフェルト面３９がシートガイ
ド２６（シートガイド２６に記録媒体Ｌが載置されている場合には記録媒体Ｌ）に対向す
るように構成され、また、図示を省略するスプリング等の付勢手段により下方に向けて付
勢された状態となっている。そのため、シートフィーダー機構３２の未使用時には、レン
ズシート押え位置に回動した紙押え３３により記録媒体Ｌはシートガイド２６に対して押
圧されることになる。
【００４９】
つまり、紙押え３３を下方に付勢する付勢手段の付勢力を、記録媒体Ｌの搬送に大きな
制動を与えないように、かつ、記録媒体Ｌの被ガイドアレイ部７とガイドアレイ部１２と
の係合が確実に行われるように設定することで、上述の記録装置１００および記録装置２
００と同様に、記録媒体Ｌは、搬送方向がガイドアレイ部１２のガイド方向に沿って一定
に維持された状態で搬送されるため、記録ヘッド６による記録媒体Ｌへの記録を所定の位
置に行うことができる。記録媒体Ｌは紙押え３３により押圧された状態で搬送される際に
は、画像形成層８がフェルト面３９に擦れながら搬送されるが、柔らかく低摩擦のフェル
ト面３９に接触させることで画像形成層８が傷つくことを防ぐことができる。
【００５０】
（搬送角度の検出）
ところで、ガイドアレイ部１２のガイド方向が、記録媒体Ｌの所定の搬送方向に正確に
沿うように、すなわちガイドアレイ部１２のガイド方向が主走査方向（給紙ローラー４，
２２および排紙ローラー５，２３とに直交する方向）に対して直交するように、シートガ
イド３，２６が筐体２に取り付けられている場合には、記録媒体Ｌの所定の位置に記録を
行うことができる。一方、ガイドアレイ部１２のガイド方向が主走査方向に対して直交し
ていない状態でシートガイド３，２６が筐体２に取り付けられている場合には、このシー
トガイド３，２６上を搬送される記録媒体Ｌは斜行して搬送されてしまう。その結果、記
録媒体Ｌは搬送されるにつれて、斜行方向に応じて左右いずれかに変位しながら搬送され
ることになり、記録媒体Ｌの所定の位置に記録を行うことができない。しかしながら、記
録媒体Ｌは、ガイドアレイ部１２にガイドされた状態で搬送されるため、一定の斜行状態
が維持されたまま搬送される。つまり、記録媒体Ｌが搬送された距離と記録媒体Ｌが左方
または右方に変位する量とは比例する。したがって、ガイドアレイ部１２のガイド方向と
所定の搬送方向との傾斜角を予め測定し、記録を行うための記録用画像データを、この傾
斜角に対応して補正することで、記録媒体Ｌが斜行して搬送されても、記録媒体Ｌの所定
位置に記録を行うことができる。
【００５１】
傾斜角の測定は次のようにして行うことができる。記録装置３００により、図６に示す
ように、記録媒体Ｌに対して検査用の画像である複数本のラインＬｎから構成される検査
用画像ＣＭを記録する。これらのラインＬｎは、画像データ上では、ラインＬｎの中の中
心のラインＬＡを所定の搬送方向に沿ったラインとし、このラインＬＡを中心に、このラ
インＬＡの左右に有るラインＬｎを左右で異なる方向に同一角度ずつ順に傾斜を累積させ
たものとする。
【００５２】
例えば、ラインＬＡよりも右側のラインＬｎは、搬送方向に向かって時計回りに０．０
１度刻みで順に傾斜角を増すように設定し、ラインＬＡよりも左側のラインＬｎは、搬送
方向に向かって反時計回りに０．０１度刻みで順に傾斜角を増すように設定する。このよ
うな検査用の画像データに基づいて、ガイドアレイ部１２にガイドされながら搬送される
記録媒体Ｌに検査用画像ＣＭを記録する。そして、記録媒体Ｌに記録された検査用画像Ｃ
Ｍを被ガイドアレイ部７の側から見ると、図７に示すように、ラインＬｎの中で被ガイド
アレイ部７の被ガイド１３の母線（稜線）に沿って記録されているラインＬＢについては
、連続した１本のラインとして視認することができる。他方、被ガイド１３の母線（稜線
）に沿って記録されていないラインＬｎについては複数の被ガイド１３にまたがって記録
されるため、例えば、ラインＬＣ等のように不連続に左右のいずれかの方向に分断された
ラインとなる。
【００５３】
したがって、ラインＬｎの中で、被ガイドアレイ部７を介して１本のラインで見ること
ができるラインＬＢに対応するラインＬｎの傾斜角を、ガイドアレイ部１２のガイド方向
と所定の搬送方向との傾斜角として測定できる。そして、この測定された傾斜角に基づい
て記録用画像データを回転させた補正画像データを生成する。記録媒体Ｌへの画像の記録
をこの補正画像データに基づいて行うことで、記録媒体Ｌが斜行して搬送される場合も所
定位置に画像を記録することができる。
【００５４】
なお、上述のガイドアレイ部１２のガイド方向の傾斜角の測定は、０．０１度刻みの傾
斜角でラインＬｎが形成された１種類の検査用画像ＣＭを用いて行ったが、傾斜角の変化
量が違う２種類の検査用画像を用いてガイドアレイ部１２のガイド方向の傾斜角を測定し
てもよい。例えば、０．０５度刻みの傾斜角でラインが形成された第１の検査用画像を記
録媒体Ｌに記録し、この検査用画像を被ガイドアレイ部７を介して見たときに最も１ライ
ンの長さが長いラインを特定する。次いで、別の記録媒体Ｌにこのラインの傾斜角を中心
にして左右に０．０１度刻みの傾斜角でラインが形成される第２の検査用画像を記録する
。そして、第２の検査用画像を被ガイドアレイ部７を介して見たときに最も１ラインの長
さが長いラインを特定する。このラインの傾斜角を、ガイドアレイ部１２のガイド方向と
所定の搬送方向との傾斜角として測定することができる。
【００５５】
このように、２種類の検査用画像を用いてガイドアレイ部１２のガイド方向の傾斜角を
測定することで、測定できる傾斜角の範囲を広げるとともに、精度の高い傾斜角の測定を
行うことができる。つまり、０．０１度刻みの傾斜角でラインが形成される検査用画像Ｃ
Ｍだけの場合よりも、０．０５度刻みの傾斜角でラインが形成される第１の検査用画像を
使用することで、広い範囲の傾斜角を測定でき、さらにその次に、０．０１度刻みの傾斜
角でラインが形成される第２の検査用画像を使用することで、精度の高い傾斜角の測定を
行うことができる。
また、さらに検査用画像の種類を増やすことで、さらに広い範囲でかつ精度の高い搬送
傾斜角の測定を行うことができる。
【図面の簡単な説明】
【００５６】
【図１】本発明の第１の実施の形態に係る記録媒体と記録装置の後方斜視図である。
【図２】図１に示す部分Ｒの拡大図である。
【図３】本発明の第１の実施形態に係る記録媒体の斜視図である。
【図４】本発明の第２の実施の形態に係る記録装置の後方斜視図である。
【図５】本発明の第３の実施の形態に係る記録装置の後方斜視図である。
【図６】検査用画像の記録内容を示す図である。
【図７】検査用画像を被ガイドアレイ側から見たときの画像を示す図である。
【符号の説明】
【００５７】
３，２６…シートガイド（支持手段）、４…給紙ローラー（押圧手段、回転ローラー）
、５…排紙ローラー（押圧手段、回転ローラー）、７…被ガイドアレイ部、１１Ａ…上面
（支持面）、１２…ガイドアレイ部、２７…加重ローラー（押圧手段、回転ローラー）、
１００，２００，３００…記録装置、Ｌ…記録媒体。
【図１】
2010149478.tif 000003
【図２】
2010149478.tif 000004
【図３】
2010149478.tif 000005
【図４】
2010149478.tif 000006
【図５】
2010149478.tif 000007
【図６】
2010149478.tif 000008
【図７】
2010149478.tif 000009